(57)【要約】【課題】手持ち式の電子機器に、ＲＦタグを読み取る機能とＲＦタグとしての機能とを付加しながら、機器本体が大型化することを防止する。【解決手段】本発明のＲＦタグ読取機器１は、手持ち式の電子機器であって、ＲＦタグを読み取るＲＦタグ読取回路３を備えたものにおいて、ＲＦタグとしての機能を、前記ＲＦタグ読取回路３で模擬するように構成したので、ＲＦタグ用の回路を実装しなくても済む。従って、手持ち式の電子機器に、ＲＦタグを読み取る機能とＲＦタグとしての機能とを付加しながら、機器本体が大型化することを防止できる。【選択図】  図１
2005018236.tif 000002
【特許請求の範囲】
【請求項１】
手持ち式の電子機器であって、ＲＦタグを読み取るＲＦタグ読取回路を備えたＲＦタグ読取機器において、
ＲＦタグとしての機能を、前記ＲＦタグ読取回路で模擬することを特徴とするＲＦタグ読取機器。
【請求項２】
前記ＲＦタグ読取回路を前記ＲＦタグとして機能させる場合、そのときの返信電力の大きさを、ＲＦタグ読取回路として動作させるときの返信電力よりも小さくするように構成されていることを特徴とする請求項１記載のＲＦタグ読取機器。
【請求項３】
公開メモリを備え、
前記ＲＦタグ読取回路を前記ＲＦタグとして機能させる場合、前記公開メモリにアクセス可能なように構成されていることを特徴とする請求項１または２記載のＲＦタグ読取機器。
【請求項４】
前記ＲＦタグ読取回路を前記ＲＦタグとして機能させる場合に、機器のバッテリから前記ＲＦタグ読取回路に給電するように構成されていることを特徴とする請求項１ないし３のいずれかに記載のＲＦタグ読取機器。
【請求項５】
読み取り対象のＲＦタグのＩＤを記憶するメモリを備え、
前記メモリに記憶されているＩＤのＲＦタグを指定して読み取り動作を実行するように構成されていることを特徴とする請求項１ないし４のいずれかに記載のＲＦタグ読取機器。
【発明の詳細な説明】
【０００１】
【発明の属する技術分野】
本発明は、手持ち式の電子機器であって、ＲＦタグを読み取るＲＦタグ読取回路を備えたＲＦタグ読取機器に関する。
【０００２】
【従来の技術】
手持ち式の電子機器、例えば携帯電話（やＰＤＡ等）にＲＦタグを読み取る機能を付加することが考えられている。この構成によれば、携帯電話をＲＦタグ読取装置として使用できるので、使い勝手がよくなる。この構成の場合、携帯電話にＲＦタグ読取回路を組み込むだけで製造可能である。
【０００３】
一方、携帯電話にＲＦタグとしての機能を付加することも考えられている。この構成の場合、携帯電話にＲＦタグとしての機能を実現するＲＦタグ回路を組み込むことにより、製造することができる。尚、このような構成の装置に関連する技術として、次の特許文献１が知られている。
【０００４】
【特許文献１】
特開平４−１４７０８２号公報
【０００５】
【発明が解決しようとする課題】
さて、本発明者は、携帯電話に上記した２つの機能、即ち、ＲＦタグを読み取る機能とＲＦタグとしての機能とを付加してみようと考えた。この場合、ＲＦタグ読取回路とＲＦタグ回路を携帯電話に組み込めば、具体的には、携帯電話に内蔵されたプリント配線基板に上記２つの回路を実装するように構成すれば、実現できる。
【０００６】
しかし、携帯電話のプリント配線基板に上記２つの回路を実装するためには、プリント配線基板の面積を大きくする必要があるから、プリント配線基板が大型化し、ひいては、携帯電話が大型化してしまうという不具合があった。
【０００７】
本発明は上記事情に鑑みてなされたものであり、その目的は、手持ち式の電子機器に、ＲＦタグを読み取る機能とＲＦタグとしての機能とを付加しながら、機器本体が大型化することを防止できるＲＦタグ読取機器を提供するにある。
【０００８】
【課題を解決するための手段】
請求項１の発明によれば、手持ち式の電子機器であって、ＲＦタグを読み取るＲＦタグ読取回路を備えたＲＦタグ読取機器において、ＲＦタグとしての機能を、前記ＲＦタグ読取回路で模擬するように構成したので、ＲＦタグ用の回路を実装しなくても済む。従って、手持ち式の電子機器に、ＲＦタグを読み取る機能とＲＦタグとしての機能とを付加しながら、機器本体が大型化することを防止できる。
【０００９】
請求項２の発明によれば、ＲＦタグ読取回路をＲＦタグとして機能させる場合、そのときの返信電力の大きさを、ＲＦタグ読取回路として動作させるときの返信電力よりも小さくするように構成したので、ＲＦタグとして動作するときに、受信電力に基づいて動作することができる。
【００１０】
請求項３の発明によれば、公開メモリを備え、前記ＲＦタグ読取回路を前記ＲＦタグとして機能させる場合、前記公開メモリにアクセス可能なように構成したので、ＲＦタグとして動作したときに公開メモリに記憶されたデータを、機器の電源オン時に容易に利用することができる。
【００１１】
請求項４の発明によれば、前記ＲＦタグ読取回路を前記ＲＦタグとして機能させる場合に、機器のバッテリから前記ＲＦタグ読取回路に給電するように構成したので、ＲＦタグとして動作するときの通信距離を長くすることができる。
【００１２】
請求項５の発明によれば、読み取り対象のＲＦタグのＩＤを記憶するメモリを備え、このメモリに記憶されているＩＤのＲＦタグを指定して読み取り動作を実行するように構成したので、特定のＲＦタグだけを指定して読み取ることができる。
【００１３】
【発明の実施の形態】
以下、本発明を携帯電話機に適用した一実施例について、図面を参照しながら説明する。まず、図１は、本実施例の携帯電話機（ＲＦタグ読取装置）１の電気的構成を示す機能ブロック図である。この図１に示すように、本実施例の携帯電話機１は、携帯電話機能部２と、ＲＦタグリーダライター機能部３と、電源部４とから構成されている。
【００１４】
携帯電話機能部２は、周知の携帯電話機の電気的構成と同じ構成で構成されており、携帯電話機の各種機能を有している。電源部４は、上記携帯電話機能部２及びＲＦタグリーダライター機能部３へ電源を供給するものであり、周知の携帯電話機の電源部と同じ構成で構成されており、充電可能なバッテリ（２次電池）を備えている。
【００１５】
ＲＦタグリーダライター機能部３は、ＲＦタグを読み取るＲＦタグリーダとしての機能と、ＲＦタグにデータを書き込むＲＦタグライターとしての機能を有している。このＲＦタグリーダライター機能部３が、本発明のＲＦタグ読取回路を構成している。
【００１６】
上記ＲＦタグリーダライター機能部３の具体的構成について、図２を参照して説明する。ＲＦタグリーダライター機能部３は、図２に示すように、制御部５と、エンコードデコード化ディジタル処理部６と、変復調アナログ処理部７と、アンテナ部８とを備えて構成されている。制御部５は、ＲＦタグリーダライター機能部３の動作全体を制御する機能を有しており、ＣＰＵ、ＲＯＭ、ＲＡＭ、ＥＥＰＲＯＭ等を備えて構成されている。
【００１７】
ここで、制御部５のＲＯＭには、ＲＦタグリーダライター機能部３を制御するための制御プログラムが記憶されており、この制御プログラムは、ＲＦタグリーダライターとしての動作を制御する制御プログラムと、ＲＦタグとしての動作を制御する制御プログラム（即ち、ＲＦタグの機能を模擬（シミュレーション）するための制御プログラム）とから構成されている。
【００１８】
また、制御部５のＥＥＰＲＯＭは、不揮発性メモリであり、ＲＦタグリーダライターとして動作するときにアクセス可能なメモリであると共に、ＲＦタグとして動作するときにアクセス可能なメモリでもある。即ち、上記ＥＥＰＲＯＭの全体（またはその一部）が公開メモリを構成している。
【００１９】
次に、図３を参照して、周知構成のＲＦタグリーダライター９によって、周知構成のＲＦタグ１０を読み取る場合の動作について説明する。まず、ＲＦタグリーダライター９からＲＦタグ１０へ送信する場合、ＲＦタグリーダライター９においては、送信用のデータをエンコードし、このエンコードしたデータを変調し、この変調した送信信号をアンテナを介してＲＦタグ１０へ向けて送信するように構成されている。
【００２０】
そして、ＲＦタグ１０においては、上記ＲＦタグリーダライター９からの送信信号をアンテナを介して受信すると、この受信信号を復調し、この復調した信号をデコードし、このデコードしたデータを入力して、このデータ（例えばコマンド等）に基づいた処理を実行するように構成されている。尚、ＲＦタグ１０は、周知のように、受信信号の電力（受信電力）に基づいて動作するように構成されている。
【００２１】
次に、ＲＦタグ１０からＲＦタグリーダライター９へ送信する場合、すなわち、ＲＦタグ１０からの送信信号をＲＦタグリーダライター９が受信する場合について説明する。この場合、ＲＦタグ１０においては、送信用のデータをエンコードし、このエンコードしたデータを変調し、この変調した送信信号をアンテナを介してＲＦタグリーダライター９へ向けて送信するように構成されている。
【００２２】
そして、ＲＦタグリーダライター９においては、上記ＲＦタグ１０からの送信信号をアンテナを介して受信すると、この受信信号を復調し、この復調した信号をデコードし、このデコードしたデータを入力して、このデータ（例えばＲＦタグ１０のＩＤデータ等）に基づいた処理を実行するように構成されている。
【００２３】
ここで、上記ＲＦタグリーダライター機能部３がＲＦタグリーダライター９として動作する場合は、エンコードデコード化ディジタル処理部６がデータのエンコード処理（送信時）とデータのデコード処理（受信時）を実行し、変復調アナログ処理部７が変調処理（送信時）と復調処理（受信時）を実行するように構成されている。
【００２４】
また、上記ＲＦタグリーダライター機能部３がＲＦタグ１０として動作する場合（ＲＦタグ１０としての機能を模擬する場合）は、エンコードデコード化ディジタル処理部６がデータのデコード処理（受信時）とデータのエンコード処理（送信時）を実行し、変復調アナログ処理部７が復調処理（受信時）と変調処理（送信時）を実行するように構成されている。
【００２５】
ここで、ＲＦタグリーダライター機能部３が、ＲＦタグリーダライター９としての機能と、ＲＦタグ１０としての機能とを共通して実現するために必要な構成として、ソフトウエア構成とハードウエア構成があり、ソフトウエア構成としては、上記２つの機能を実現する２つの制御プログラムを備え、実行する機能（モード）に応じて制御プログラムが切り替えられるように構成されている。これに対して、ハードウエア構成は、図３に示すように、上記２つの機能に対してほとんど共用することができる。
【００２６】
尚、上記２つの機能に対して共用できないハードウエア構成がある場合には、その共用できないハードウエア構成を設けるように構成すれば良い。これにより、ＲＦタグリーダライター機能部３のハードウエア構成は、周知のＲＦタグ読取装置のハードウエア構成とほぼ同じ構成となり、ソフトウエア構成が異なるような構成となっている。
【００２７】
次に、上記構成の携帯電話機１の動作について、図４のフローチャートも参照して説明する。携帯電話機１の電源がオンされている状態で、ステップＳ１０において、ユーザーによりキー操作が実行されると、ステップＳ２０へ進み、上記キー操作が、携帯電話機１をＲＦタグリーダライターとして機能させるための設定であるか否かを判断するように構成されている。
【００２８】
上記判断ステップＳ２０において、ＲＦタグリーダライターとして機能させるための設定であると判断された場合、「ＹＥＳ」へ進み、携帯電話機１をＲＦタグリーダライターとして機能させるモード（リーダライターモード）を設定する（ステップＳ３０）。この場合、例えば、モード判定用のフラグを「１」に設定する。
【００２９】
続いて、ステップＳ４０へ進み、携帯電話機１のＲＦタグリーダライター機能部３をＲＦタグリーダライターとして動作させるように制御する構成となっている。これにより、携帯電話機１がリーダライターモードで動作し、携帯電話機１によってＲＦタグを読み取ることが可能になる。
【００３０】
一方、上記ステップＳ２０において、ＲＦタグリーダライターとして機能させるための設定でないと判断された場合、「ＮＯ」へ進み、ステップＳ５０へ進み、前記キー操作が、携帯電話機１をＲＦタグとして機能させるための設定であるか否かを判断する。
【００３１】
この判断ステップＳ５０において、ＲＦタグとして機能させるための設定であると判断された場合、「ＹＥＳ」へ進み、携帯電話機１をＲＦタグとして機能させるモード（ＲＦタグモード）を設定する（ステップＳ６０）。この場合、例えば、モード判定用のフラグを「０」に設定する。
【００３２】
続いて、ステップＳ７０へ進み、携帯電話機１のＲＦタグリーダライター機能部３をＲＦタグとして動作させるように制御する構成となっている。これにより、携帯電話機１がＲＦタグモードで動作し、他のＲＦタグ読取装置によって、携帯電話機１、即ち、ＲＦタグを読み取ることが可能になる。
【００３３】
尚、携帯電話機１のＲＦタグリーダライター機能部３がＲＦタグとして動作する場合、通常のＲＦタグと同様にして、受信電力を動作電源としている。この場合、ＲＦタグリーダライター機能部３の動作電力が小さくなるから、携帯電話機１（ＲＦタグリーダライター機能部３）をＲＦタグとして機能させる場合、そのときの返信電力の大きさは、携帯電話機１（ＲＦタグリーダライター機能部３）をＲＦタグリーダライターとして動作させるときの返信電力（送信電力）よりも小さくなる、すなわち、通常のＲＦタグの返信電力程度となるように構成されている。
【００３４】
尚、上記携帯電話機１のＲＦタグリーダライター機能部３がＲＦタグとして動作する場合の電源を、携帯電話機１の電源部４から得るように構成しても良い。即ち、携帯電話機１の電源部４のバッテリからＲＦタグリーダライター機能部３（ＲＦタグ読取回路）に給電するように構成しても良い。このように構成すると、ＲＦタグリーダライター機能部３の動作電力が大きくなるから、携帯電話機１（ＲＦタグリーダライター機能部３）をＲＦタグとして機能させる場合の返信電力の大きさが、携帯電話機１（ＲＦタグリーダライター機能部３）をＲＦタグリーダライターとして動作させるときの返信電力（送信電力）とほぼ同じ大きさとなる、即ち、通常のＲＦタグの返信電力よりも大きくなる。これにより、携帯電話機１をＲＦタグとして動作させるときの通信距離を長くすることができる。
【００３５】
一方、上記ステップＳ５０において、ＲＦタグとして機能させるための設定でないと判断された場合、「ＮＯ」へ進み、携帯電話機１の他の機能、即ち、携帯電話機１としての各機能を上記キー操作に応じて動作させるモードとなる（ステップＳ８０）。
【００３６】
さて、上記携帯電話機１の電源がオフされている場合には、携帯電話機１をＲＦタグとして機能させるモード（ＲＦタグモード）が自動的に設定されている。従って、携帯電話機１の電源オフ時には、携帯電話機１はＲＦタグとして動作する。即ち、他のＲＦタグ読取装置によって、携帯電話機１（即ち、ＲＦタグ）を読み取ることが可能になる。
【００３７】
尚、携帯電話機１（ＲＦタグリーダライター機能部３）がＲＦタグとして動作する場合、通常のＲＦタグと同様にして、受信電力を動作電源としている。また、携帯電話機１（ＲＦタグリーダライター機能部３）がＲＦタグとして動作する場合の電源を、携帯電話機１の電源部４から得るように構成しても良い。
【００３８】
そして、このように、携帯電話機１の電源オフ時に、携帯電話機１がＲＦタグとして動作する構成であると、携帯電話機１をリサイクル処理するときに、他のＲＦタグ読取装置によって、携帯電話機１（ＲＦタグ）からリサイクル情報を容易に読み出すことができる。この場合、携帯電話機１がＲＦタグとして動作するときにアクセス可能なメモリ（公開メモリ、本実施例の場合、ＥＥＰＲＯＭ）に上記リサイクル情報を予め書き込んでおく必要がある。尚、上記リサイクル情報としては、製品情報、工場生産時の情報、工場出荷時の情報、使用時（使用時間等）の情報、故障（障害）情報等がある。
【００３９】
このような構成の本実施例によれば、携帯電話機１のＲＦタグリーダライター機能部３（ＲＦタグ読取回路）によってＲＦタグとしての機能を模擬するように構成したので、ＲＦタグ用の回路を実装しなくても済む。従って、携帯電話機１（手持ち式の電子機器）に、ＲＦタグを読み取る機能とＲＦタグとしての機能とを付加しながら、携帯電話機１本体が大型化することを防止できる。
【００４０】
また、上記実施例においては、携帯電話機１のＲＦタグリーダライター機能部３（ＲＦタグ読取回路）をＲＦタグとして機能させる場合に、そのときの返信電力の大きさを、ＲＦタグリーダライター（ＲＦタグ読取回路）として動作させるときの返信電力よりも小さくするように構成した。ＲＦタグとして動作するときに、受信電力に基づいて動作することができる。
【００４１】
更に、上記実施例においては、公開メモリを備え、ＲＦタグリーダライター機能部３をＲＦタグとして機能させる場合に、上記公開メモリにアクセス可能なように構成したので、ＲＦタグとして動作したときに公開メモリに記憶されたデータを、携帯電話機１の電源オン時に容易に利用することができる。
【００４２】
更にまた、上記実施例では、携帯電話機１のＲＦタグリーダライター機能部３をＲＦタグとして機能させる場合に、携帯電話機１のバッテリからＲＦタグリーダライター機能部３に給電するように構成したので、ＲＦタグとして動作するときの通信距離を通常よりも長くすることができる。
【００４３】
一方、上記実施例において、ＲＦタグリーダライター機能部３の制御部５のメモリ（特には、そのＥＥＰＲＯＭ）に、読み取り対象のＲＦタグのＩＤを記憶するように構成すると共に、上記メモリに記憶されているＩＤのＲＦタグを指定して読み取り動作を実行するように構成することが好ましい。このように構成すると、特定のＲＦタグだけを指定して読み取ることができる。
【００４４】
尚、上記実施例においては、携帯電話機１に適用したが、これに限られるものではなく、ＰＤＡや他の手持ち式の電子機器（携帯用電子機器）に適用しても良い。
【図面の簡単な説明】
【図１】本発明の一実施例を示す携帯電話機のブロック図
【図２】ＲＦタグリーダライター機能部のブロック図
【図３】ＲＦタグリーダライターによってＲＦタグを読み取るときの動作を説明する図
【図４】フローチャート
【符号の説明】
１は携帯電話機（ＲＦタグ読取装置）、２は携帯電話機能部、３はＲＦタグリーダライター機能部（ＲＦタグ読取回路）、４は電源部、５は制御部、６はエンコードデコード化ディジタル処理部、７は変復調アナログ処理部、８はアンテナ部、９はＲＦタグリーダライター、１０はＲＦタグを示す。
【図１】
2005018236.tif 000003
【図２】
2005018236.tif 000004
【図３】
2005018236.tif 000005
【図４】
2005018236.tif 000006